(57)【特許請求の範囲】
【請求項１】
核酸含有物質を容器に投入するとともに、核酸含有物質の下方に強酸液を注入することで強酸液の上方を核酸含有物質で被覆した状態で核酸含有物質と強酸液との反応を進行させ、その後、核酸含有物質の下方で強酸液に水分を混入することで上方を核酸含有物質で被覆した状態で核酸含有物質を溶解して核酸を含有する液体肥料を製造することを特徴とする液体肥料の製造方法。
【請求項２】
前記核酸含有物質として獣毛を用いることを特徴とする請求項１に記載の液体肥料の製造方法。
【請求項３】
核酸含有物質を容器に投入するとともに、核酸含有物質の下方に強酸液を注入することで強酸液の上方を核酸含有物質で被覆した状態で核酸含有物質と強酸液との反応を進行させ、その後、核酸含有物質の下方で強酸液に水分を混入することで上方を核酸含有物質で被覆した状態で核酸含有物質を溶解して核酸を含有する液体（核酸抽出液）を製造することを特徴とする核酸抽出液の製造方法。
【発明の詳細な説明】
【技術分野】
【０００１】
本発明は、核酸を含有する液体肥料及び核酸抽出液の製造方法に関するものである。
【背景技術】
【０００２】
従来より、ウラシル等の核酸は、植物の成長を促進するなどの効能を有することが知られており、植物成長促進剤等の液体肥料として利用されている（たとえば、特許文献１参照。）。
【０００３】
そして、従来より、核酸を含有する物質（核酸含有物質）から核酸を抽出して液体肥料等の核酸抽出液を製造する製造方法が開発されている（たとえば、特許文献２参照。）。
【先行技術文献】
【特許文献】
【０００４】
【特許文献１】特開２００１−１９９８１２号公報
【特許文献２】特開２００１−１８６８９９号公報
【発明の概要】
【発明が解決しようとする課題】
【０００５】
ところが、上記従来の液体肥料等の核酸抽出液の製造方法では、核酸が細胞内部に多く存在しているために、核酸含有物質から多量の核酸を含有する核酸抽出液を良好に製造することが困難であった。
【０００６】
特に、液体肥料においては、核酸の含有量が少なく、植物の成長を良好に促進させることができないものであった。
【課題を解決するための手段】
【０００７】
そこで、請求項１に係る本発明では、液体肥料の製造方法において、核酸含有物質を容器に投入するとともに、核酸含有物質の下方に強酸液を注入することで強酸液の上方を核酸含有物質で被覆した状態で核酸含有物質と強酸液との反応を進行させ、その後、核酸含有物質の下方で強酸液に水分を混入することで上方を核酸含有物質で被覆した状態で核酸含有物質を溶解して核酸を含有する液体肥料を製造することにした。
【０００８】
また、請求項２に係る本発明では、前記請求項１に係る本発明において、前記核酸含有物質として獣毛を用いることにした。
【０００９】
また、請求項３に係る本発明では、核酸抽出液の製造方法において、核酸含有物質を容器に投入するとともに、核酸含有物質の下方に強酸液を注入することで強酸液の上方を核酸含有物質で被覆した状態で核酸含有物質と強酸液との反応を進行させ、その後、核酸含有物質の下方で強酸液に水分を混入することで上方を核酸含有物質で被覆した状態で核酸含有物質を溶解して核酸を含有する液体（核酸抽出液）を製造することにした。
【発明の効果】
【００１０】
そして、本発明では、以下に記載する効果を奏する。
【００１１】
すなわち、本発明では、強酸液に水分を混入させることで、強酸液と水との反応熱によって強酸液による溶解が促進され、核酸含有物質を外周側から内側に向けて良好に溶解させることができ、核酸含有物質の細胞内部に多く存在する核酸を抽出させることができる。
【００１２】
特に、核酸含有物質の下方に強酸液を注入することで、核酸含有物質と強酸液との接触部分（溶解反応が進行する部分）の上方を核酸含有物質で被覆することができ、強酸液の飛散を防止することができ、安全性を向上させることができる。
【００１３】
これにより、植物の成長を良好に促進させることができる液体肥料を安全に製造することができる。
【図面の簡単な説明】
【００１４】
【図１】本発明に係る液体肥料（核酸抽出液）の製造方法を示す説明図。
【発明を実施するための形態】
【００１５】
以下に、本発明に係る液体肥料（核酸抽出液）の製造方法の具体的な構成について図面を参照しながら説明する。
【００１６】
本発明に係る核酸抽出液としての液体肥料は、核酸含有物質の細胞内部に多量に存在する核酸を抽出した液体からなる液体肥料である。そのため、原料として核酸を含有する物質（核酸含有物質）を用いる。たとえば、核酸含有物質としては、羊毛等の獣毛を用いることができる。
【００１７】
本発明では、まず、耐酸性を有する容器の内部に核酸含有物質を投入する。
【００１８】
次に、核酸含有物質を投入した容器の底部に強酸液を注入する。強酸液は、核酸含有物質の下方側に注入することができればよく、容器の底や側面下部などに設けた注入口から注入してもよく、また、容器の上部開口から周壁に沿わせて徐々に注入するようにしてもよい。ここで、強酸液としては、硫酸や塩酸などの水溶液を用いることができ、特に、濃硫酸や濃塩酸などの高濃度の酸性水溶液が望ましい。ここでは、硫酸を用いて液体肥料を製造することにしている。
【００１９】
このように、核酸含有物質の下方に強酸液を注入すると、核酸含有物質と強酸液との接触部分（溶解反応が進行する部分）の上方を核酸含有物質で被覆することになる。これにより、核酸含有物質と強酸液との反応が急激に進行しても、強酸液の飛散を防止することができ、安全性を向上させることができる。
【００２０】
次に、容器の底部（核酸含有物質の下方側）に水分を注入する。水分は、常温の水よりも加熱沸騰させた湯の方が望ましい。また、水分は、複数回に分けて注入してもよい。ここでも、水分は、核酸含有物質の下方側に注入するようにしており、容器の底や側面下部などに設けた注入口から注入してもよく、また、容器の上部開口から周壁に沿わせて徐々に注入するようにしてもよい。
【００２１】
水分を注入することによって、強酸液と水分とが接触して反応し、反応熱が生成される。そして、その反応熱によって強酸液が加熱され、強酸液による核酸含有物質の溶解反応が促進される。これにより、核酸含有物質を外周側から内側に向けて良好に溶解させることができる。そして、核酸含有物質の細胞内部に多く存在する核酸を良好に抽出させることができる。
【００２２】
その際にも、核酸含有物質と強酸液との接触部分（溶解反応が進行する部分）の上方が核酸含有物質で被覆されているために、核酸含有物質と強酸液との反応が急激に進行しても、強酸液の飛散を防止することができ、安全性を向上させることができる。なお、強酸液（水分を加えた強酸液）の上方を核酸含有物質で良好に被覆できるようにするために、強酸液（水分を加えた強酸液）に浮く性質（たとえば、形態や比重）を有する核酸含有物質を用いることが望ましい。
【００２３】
以上のようにして核酸抽出液を製造することができるが、このままでは強酸性を有しているため、消石灰等の中和剤を用いて中和させることが望ましい。
【００２４】
また、中和剤の添加により固形物が生成される場合には、固液分離を行って、液体を抽出する。なお、液体を分離した残留物（固形物）にも核酸等の有効成分が含有されており、有効に活用することができる。たとえば、液体肥料を製造する場合には、中和剤に含まれるカルシウムなどの有効成分が含有されており、固形状の土壌改良剤などとして有効に活用することもできる。
【００２５】
本発明では、以上に説明したように、核酸含有物質を容器に投入するとともに、強酸液を注入し、その後、強酸液に水分を混入することで核酸含有物質を溶解して核酸を含有する液体（核酸抽出液）を製造することにしている。
【００２６】
特に、核酸抽出液として液体肥料を製造する場合には、獣毛等の核酸含有物質を容器に投入するとともに、核酸含有物質の下方に濃硫酸等の強酸液を注入し、その後、核酸含有物質の下方で強酸液に湯等の水分を混入することで核酸含有物質を溶解して核酸を含有する液体肥料を製造することにしている。
【００２７】
なお、上記説明では、特に獣毛を原料として濃硫酸を用いて液体肥料を製造する場合について説明したが、これに限られず、核酸含有物質から核酸を抽出させた核酸抽出液を製造する場合に適用することができ、製造する核酸抽出液の用途などに応じて核酸含有物質としてビール酵母や人毛などを用いることもできる。
【００２８】
以上に説明したように、本発明では、強酸液に水分を混入させることで、強酸液と水との反応熱によって強酸液による溶解が促進され、核酸含有物質を外周側から内側に向けて良好に溶解させることができ、核酸含有物質の細胞内部に多く存在する核酸を抽出させることができる。
【００２９】
特に、核酸含有物質の下方に強酸液を注入することで、核酸含有物質と強酸液との接触部分（溶解反応が進行する部分）の上方を核酸含有物質で被覆することができ、強酸液の飛散を防止することができ、安全性を向上させることができる。これにより、植物の成長を良好に促進させることができる液体肥料を安全に製造することができる。
【図１】
0006300278.tif 000002